(57)【要約】【課題】反転方式に動作する表示装置、及びその駆動方法を提供する。【解決手段】表示装置及びその駆動方法において、制御信号変換回路は、タイミングコントローラで生成された第１ゲート制御信号を既設定された基準時間ほど遅延させて、第２ゲート制御信号に変換してゲート駆動回路に提供する。ゲート駆動回路は、第２ゲート制御信号に応答して複数のゲート信号を順次に出力するが、各ゲート信号は、対応する水平走査区間の開始時点から基準時間ほど遅延させた時点で立ち上がり、対応する水平走査区間の最終時点前に立ち下がる。従って、水平走査区間の開始時点から所定区間の間に発生する共通電圧の歪曲に各画素が影響を受けないので、クロストーク及びグリーニッシュ（Ｇｒｅｅｎｉｓｈ）現象などを改善することができる。【選択図】図１
2010072618.tif 000002
【特許請求の範囲】
【請求項１】
映像データ、データ制御信号及び第１ゲート制御信号を出力するタイミングコントローラと、
前記データ制御信号に同期して前記映像データを受信してデータ電圧に変換し、一つの水平走査区間単位に一つのライン分量ずつ出力するデータ駆動回路と、
既設定された基準信号に基づいて前記第１ゲート制御信号を既設定された基準時間ほど遅延させて第２ゲート制御信号に変換する制御信号変換回路と、
前記第２ゲート制御信号に応答して複数のゲート信号を順次に出力するゲート駆動回路と、
前記ゲート信号に順次に応答して前記一つのライン分量のデータ電圧に対応する映像を順次に表示する複数の画素行を具備する表示パネルと、を含み、
各ゲート信号は、対応する水平走査区間の開始時点から前記基準時間ほど遅延させた時点で立ち上がり、前記対応する水平走査区間の最終時点前に立ち下がることを特徴とする表示装置。
【請求項２】
前記基準時間は、前記各ゲート信号の立ち下がり時点と前記各ゲート信号の次のゲート信号の立ち上がり時点との間の時間間隔より小さいことを特徴とする請求項１に記載の表示装置。
【請求項３】
前記基準時間は、約２μs以上５μs以下に定義されることを特徴とする請求項２に記載の表示装置。
【請求項４】
前記各ゲート信号のパルス幅は、前記各ゲート信号の立ち下がり時点と前記次のゲート信号の立ち上がり時点との間の時間間隔が約４μs以下に減少しない範囲まで、増加させることを特徴とする請求項２に記載の表示装置。
【請求項５】
前記第１ゲート制御信号は、第１垂直クロック信号及び第１出力イネイブル信号を含み、
前記第２ゲート制御信号は、前記第１垂直クロック信号より前記基準時間ほど遅延させた第２垂直クロック信号と、前記第１出力イネイブル信号より前記基準時間ほど遅延させた第２出力イネイブル信号と、を含むことを特徴とする請求項１に記載の表示装置。
【請求項６】
前記第２出力イネイブル信号の立ち上がり時点と前記第２垂直クロック信号の立ち上がり時点との時間間隔は、約４μs以上に維持されることを特徴とする請求項５に記載の表示装置。
【請求項７】
前記データ電圧は、共通電圧に対して正極性、又は負極性を有し、
前記データ駆動回路は、一以上の水平走査区間単位に前記データ電圧の極性を反転させて出力することを特徴とする請求項１に記載の表示装置。
【請求項８】
前記共通電圧は、直流電圧であることを特徴とする請求項７に記載の表示装置。
【請求項９】
前記制御信号変換回路は、前記タイミングコントローラに内蔵されることを特徴とする請求項１に記載の表示装置。
【請求項１０】
複数の映像データ、データ制御信号及び第１ゲート制御信号を生成し、
前記データ制御信号に同期して前記複数の映像データを複数のデータ電圧に変換して一つの水平走査区間単位に一つのライン分量ずつ出力し、
既設定された基準信号に基づいて前記第１ゲート制御信号を既設定された基準時間ほど遅延させて第２ゲート制御信号に変換し、
前記第２ゲート制御信号に応答して複数のゲート信号を順次に出力し、
前記ゲート信号に順次に応答して前記一つのライン分量のデータ電圧に対応する映像を順次に表示することを含み、
各ゲート信号は、対応する水平走査区間の開始時点から前記基準時間ほど遅延させた時点で立ち上がり、前記対応する水平走査区間の最終時点前に立ち下がることを特徴とする表示装置の駆動方法。
【発明の詳細な説明】
【技術分野】
【０００１】
本発明は、表示装置及びその駆動方法に関し、より詳細には、反転方式で動作する表示装置及びその駆動方法に関する。
【背景技術】
【０００２】
一般的に、液晶表示装置は、カラーフィルタ基板、カラーフィルタ基板と対向して結合するアレイ基板、及びカラーフィルタ基板とアレイ基板との間に介在された液晶層からなる。カラーフィルタ基板には、カラーフィルタ層と共通電極が具備され、アレイ基板には、共通電極と対向する画素電極が具備される。
【０００３】
ここで、共通電極には、共通電圧が印加され、画素電極には、データ電圧が印加される。従って、画素電極と共通電極との間には、データ電圧と共通電圧の電位差ほどの電界が形成される。電界によって液晶層に含まれた液晶分子が配向され、その結果、液晶表示装置は、液晶層の光透過度を調節して映像を表示することができる。
【０００４】
しかし、フレーム毎に共通電圧を基準にする極性を有するデータ電圧が続いて印加されると、液晶層に含まれた液晶分子が劣化される。従って、最近の液晶表示装置は、このような液晶劣化を防止するために反転駆動方式を採用している。
【０００５】
反転駆動方式には、フレーム反転、ライン反転、１ドット反転及び２ドット反転方式などが存在する。フレーム反転駆動方式は、直流形態の共通電圧に対してデータ電圧の極性をフレーム毎に反転させる方式であり、ライン反転駆動方式は、交流形態の共通電圧に対してデータ電圧の極性を一つ以上のライン単位毎に反転させる方式である。１ドット及び２ドット反転方式は、データ電圧の極性が各々一つ及び二つの画素単位で反転される方式である。
【０００６】
しかし、このような反転駆動方式を採用する液晶表示装置において、データ電圧の極性が反転される時点で共通電圧の歪曲（ｄｉｓｔｏｒｔｉｏｎ  ｏｆ  ｔｈｅ  ｃｏｍｍｏｎ  ｖｏｌｔａｇｅ）が発生する。共通電圧の歪曲量が増加すると、液晶表示装置の画面上にクロストーク（ｃｒｏｓｓｔａｌｋ）及びグリーニッシュ（ｇｒｅｅｎｉｓｈ）現象などが発生して画質が低下する。
【先行技術文献】
【特許文献】
【０００７】
【特許文献１】韓国特許公開第２００１−００４８８７１号公報
【特許文献２】韓国特許公開第２００５−０１１２９０３号公報
【特許文献３】韓国特許公開第２００７−００３４３８１号公報
【特許文献４】韓国特許公開第２００７−００７４１７６号公報
【発明の概要】
【発明が解決しようとする課題】
【０００８】
本発明は、上述の問題点に鑑みてなされたもので、その目的は、クロストークやグリーニッシュ現象を改善して画質を向上させることができる表示装置を提供することである。
【０００９】
本発明の他の目的は、前記の表示装置を駆動することに適用される駆動方法を提供することである。
【課題を解決するための手段】
【００１０】
上述の目的を達成するため、本発明による表示装置は、タイミングコントローラと、データ駆動回路と、制御信号変換回路と、ゲート駆動回路と、表示パネルとを含む。
【００１１】
本発明に係るタイミングコントローラは、複数の映像データ、データ制御信号及び第１ゲート制御信号を出力し、データ駆動回路は、データ制御信号に同期して複数の映像データを受信して複数のデータ電圧に変換して一つの水平走査区間単位に一つのライン分量（一つのデータラインに印加されるデータ電圧）ずつ出力する。
【００１２】
本発明に係る制御信号変換回路は、既設定された基準信号に基づいて第１ゲート制御信号を既設定された基準時間ほど遅延させて第２ゲート制御信号に変換し、ゲート駆動回路は、第２ゲート制御信号に応答して複数のゲート信号を順次に出力する。
【００１３】
本発明に係る表示パネルは、ゲート信号に順次に応答して、一つのライン分量のデータ電圧に対応する映像を順次に表示する複数の画素行を具備する。
【００１４】
ここで、各ゲート信号は、対応する水平走査区間の開始時点から基準時間ほど遅延させた時点で立ち上がり（ｒｉｓｅ）、対応する水平走査区間の最終時点前に立ち下がる（ｆａｌｌ）。
【００１５】
本発明に係る表示装置の駆動方法は、複数の映像データ、データ制御信号及び第１ゲート制御信号を生成し、データ制御信号に同期して複数の映像データを複数のデータ電圧に変換して一つの水平走査区間単位に一つのライン分量ずつ出力し、既設定された基準信号に基づいて第１ゲート制御信号を既設定された基準時間ほど遅延させて第２ゲート制御信号に変換し、第２ゲート制御信号に応答して複数のゲート信号を順次に出力し、ゲート信号に順次に応答して一つのライン分量のデータ電圧に対応する映像を順次に表示することを含む。
【００１６】
ここで、各ゲート信号は、対応する水平走査区間の開始時点から基準時間ほど遅延させた時点で立ち上がり、対応する水平走査区間の最終時点前に立ち下がる。
【発明の効果】
【００１７】
このような表示装置及びその駆動方法によると、タイミングコントローラで生成された第１ゲート制御信号を既設定された基準時間ほど遅延させて第２ゲート制御信号に変換し、これをもとに複数のゲート信号を生成することによって、各ゲート信号は、対応する水平走査区間の開始時点から基準時間ほど遅延させた時点で立ち上がり、対応する水平走査区間の最終時点前に立ち下がることができる。
【００１８】
従って、水平走査区間の開始時点から所定区間の間に発生する共通電圧の歪曲に各画素が影響を受けないため、クロストーク及びグリーニッシュ現象などを改善することができる。
【図面の簡単な説明】
【００１９】
【図１】本発明の一実施形態に係る液晶表示装置のブロック図である。
【図２】本発明の一実施形態に係る２×１ドット反転方式で動作する液晶パネルにおいて、グリーニッシュ(Ｇｒｅｅｎｉｓｈ)及びクロストーク(Ｃｒｏｓｓｔａｌｋ)現象を誘発する特定のパターンを示す図面である。
【図３】本発明の一実施形態に係る図１に示した液晶表示装置の信号波形図であり、(ａ）はデータ電圧波形を示し、(ｂ）は共通電圧波形を示し、(ｃ）は第１及び第２ゲート信号波形を示し、(ｄ）は第１垂直クロック信号波形を示し、(ｅ）は第１出力イネイブル信号波形を示し、(ｆ）は第２垂直クロック信号波形を示し、(ｇ）は第２出力イネイブル信号波形を示す。
【図４】本発明の他の実施形態に係る液晶表示装置の信号波形図であり、(ａ）はデータ電圧波形を示し、(ｂ）は共通電圧波形を示し、(ｃ）は第１及び第２ゲート信号波形を示し、(ｄ）は第１垂直クロック信号波形を示し、(ｅ）は第１出力イネイブル信号波形を示し、(ｆ）は第２垂直クロック信号波形を示し、(ｇ）は第２出力イネイブル信号波形を示す。
【図５】本発明の他の実施形態に係る液晶表示装置のブロック図である。
【図６】本発明の一実施形態に係る図１に示した液晶表示装置の駆動方法を示すフローチャートである。
【発明を実施するための形態】
【００２０】
以下では、添付された図面を参照して本発明の望ましい実施形態をより詳細に説明する。
【００２１】
図１は、本発明の一実施形態に係る液晶表示装置のブロック図である。
【００２２】
図１を参照すると、液晶表示装置１００は、タイミングコントローラ１１０と、データ駆動回路１２０と、制御信号変換回路１３０と、ゲート駆動回路１４０と、液晶パネル１５０とを含む。
【００２３】
タイミングコントローラ１１０は、外部装置から映像データＲＧＢ、水平同期信号Ｈ_ＳＹＮＣ、垂直同期信号Ｖ_ＳＹＮＣ、メインクロック信号ＭＣＬＫ、データイネイブル信号ＤＥを受信する。タイミングコントローラ１１０は、データ駆動回路１２０とのインタフェース仕様に合うようにデータフォーマットを変換した映像データＲＧＢ’及びデータ制御信号をデータ駆動回路１２０に出力する。データ制御信号には、出力開始信号ＴＰ、水平開始信号ＳＴＨ及び水平クロック信号ＨＣＬＨを含めてもよい。
【００２４】
データ駆動回路１２０は、ガンマ電圧発生部(図示せず)から提供されたガンマ電圧を利用して複数のデータ電圧Ｄ１〜Ｄｍを生成する。データ駆動回路１２０は、タイミングコントローラ１１０から提供されるデータ制御信号ＴＰ、ＳＴＨ、ＨＣＬＫに応答して、ガンマ電圧のうち、映像データＲＧＢ’に対応するガンマ電圧を選択してデータ電圧Ｄ１〜Ｄｍとして出力する。
【００２５】
一方、タイミングコントローラ１１０は、制御信号変換回路１３０に第１ゲート制御信号を出力する。第１ゲート制御信号には、第１垂直開始信号ＳＴＶ１、第１ゲートクロック信号ＣＰＶ１、及び第１出力イネイブル信号ＯＥ１が含まれる。
【００２６】
制御信号変換回路１３０は、タイミングコントローラ１１０から受信した第１ゲート制御信号を既設定された基準信号ＲＥＦに基づいて第２ゲート制御信号に変換して出力する。第２ゲート制御信号には、第２垂直開始信号ＳＴＶ２、第２ゲートクロック信号ＣＰＶ２、及び第２出力イネイブル信号ＯＥ２を含めてもよい。
【００２７】
基準信号ＲＥＦは、液晶表示装置１００に関する基本情報が格納されたイーイーピーロム（ＥＥＰＲＯＭ、図示せず)から供給された信号であってもよい。図面には示さないが、制御信号変換回路１３０は、第１ゲート制御信号の周波数を変換する場合、オシレータークロック（ｏｓｃｉｌａｔｏｒ  ｃｌｏｃｋ）をさらに受信してもよい。この場合、制御信号変換回路１３０は、オシレータークロックを利用して第１ゲート制御信号の周波数を増加、或いは減少させることによって、第１ゲート制御信号と異なる周波数を有する第２ゲート制御信号を出力することができる。
【００２８】
具体的に、制御信号変換回路１３０は、基準信号ＲＥＦに基づいて第１ゲート制御信号を既設定された基準時間ほど遅延させて第２ゲート制御信号に変換する。従って、第２垂直開始信号ＳＴＶ２、第２ゲートクロック信号ＣＰＶ２、及び第２出力イネイブル信号ＯＥ２は、第１垂直開始信号ＳＴＶ１、第１ゲートクロック信号ＣＰＶ１、及び第１出力イネイブル信号ＯＥ１から基準時間ほど各々遅延させた信号である。基準信号については、以下の記述において具体的に定義するようにする。
【００２９】
ゲート駆動回路１４０は、第２ゲート制御信号に応答してゲート信号Ｇ１〜Ｇｎを順次に出力する。各ゲート信号は、一つのフレーム区間のうち、所定区間(以下、ハイ区間)の間、ゲートオン電圧レベルＶＯＮを維持し、残り区間の間、ゲートオフ電圧レベルＶＯＦＦを維持する。
【００３０】
ここで、ゲート信号Ｇ１〜Ｇｎは、第１ゲート制御信号より基準時間ほど遅延させた第２ゲート制御信号によって生成されるので、ゲート信号の各々のハイ区間は、データ駆動回路１２０からデータ電圧Ｄ１〜Ｄｍが出力される時点から基準時間ほど経過した時点で開始される。
【００３１】
一方、液晶パネル１５０は、複数のゲートラインＧＬ１〜ＧＬｎ、ゲートラインＧＬ１〜ＧＬｎに交差する複数のデータラインＤＬ１〜ＤＬｍ、ゲートラインＧＬ１〜ＧＬｎとデータラインＤＬ１〜ＤＬｍによって定義される画素領域に各々配列された画素を含む。各画素は、対応するゲートラインと対応するデータラインに各々ゲート電極及びソース電極が接続される薄膜トランジスタＴｒ、薄膜トランジスタＴｒのドレイン電極に接続される液晶コンデンサＣＬＣ及びストレージコンデンサＣＳＴを含む。液晶コンデンサＣＬＣの第１電極は、ドレイン電極に接続され、第２電極は、共通電圧Ｖｃｏｍが印加される共通電極に接続される。
【００３２】
複数のゲートラインＧＬ１〜ＧＬｎは、ゲート駆動回路１４０に接続されてゲート信号Ｇ１〜Ｇｎを各々順次に受信し、複数のデータラインＤＬ１〜ＤＬｍは、データ駆動回路に接続されてデータ電圧Ｄ１〜Ｄｍを受信する。データ駆動回路１２０によって複数のデータラインＤＬ１〜ＤＬｍにデータ電圧Ｄ１〜Ｄｍが印加されて、基準時間経過後にゲート信号Ｇ１〜Ｇｎによって複数のゲートラインＧＬ１〜ＧＬｎが順次に選択される。選択されたゲートラインに接続された薄膜トランジスタＴｒがターンオンされて、各データラインに印加されたデータ電圧が該当画素の薄膜トランジスタＴｒを経て液晶コンデンサＣＬＣとストレージコンデンサＣＳＴに印加される。
【００３３】
薄膜トランジスタＴｒがターンオンされる前にデータラインＤＬ１〜ＤＬｍは、データ電圧Ｄ１〜Ｄｍによって予めに充電されているので、薄膜トランジスタＴｒがターンオンされた後に、液晶コンデンサＣＬＣが対応するデータ電圧に充電されるまでに必要とする時間を短縮させることができる。
【００３４】
液晶コンデンサＣＬＣは、薄膜トランジスタＴｒのターンオン動作の際に印加されたデータ電圧によって液晶パネル１５０に提供された光の透過度を制御して映像を表示する。ストレージコンデンサＣＳＴは、薄膜トランジスタＴｒのターンオン動作の際に印加されたデータ電圧を蓄積して、薄膜トランジスタＴｒのターンオフ動作の際に蓄積されたデータ電圧を液晶コンデンサＣＬＣに印加する。従って、薄膜トランジスタＴｒがターンオフされた後にも液晶コンデンサＣＬＣにデータ電圧が印加されるので、液晶パネル１５０は、映像を維持することができる。
【００３５】
一方、データ電圧Ｄ１〜Ｄｍは、一つ以上の画素行単位及び一つ以上の画素列単位に、共通電圧Ｖｃｏｍに対して互いに異なる極性を有してもよい。本発明の一例として、データ電圧Ｄ１〜Ｄｍの極性を二つ以上の画素行単位に反転させようとする場合、データ駆動回路１２０には、二つ以上の水平走査区間単位に、共通電圧Ｖｃｏｍに対して反転させたガンマ電圧が印加される。従って、連続する二つの水平走査区間の間、データ駆動回路１２０が、正極性のガンマ電圧のうち、入力された映像データＲＧＢ’に対応するガンマ電圧を選択してデータ電圧Ｄ１〜Ｄｍとして出力したとすると、次の二つの水平走査区間の間には、負極性のガンマ電圧のうち、入力された映像データＲＧＢ’に対応するガンマ電圧を選択してデータ電圧Ｄ１〜Ｄｍとして出力する。従って、液晶パネル１５０は、２×１ドット反転方式（ａ  ２×１‐ｄｏｔ  ｉｎｖｅｒｓｉｏｎ  ｄｒｉｖｅ  ｓｃｈｅｍｅ）で動作させることができる。
【００３６】
図２は、２×１ドット反転方式で動作する液晶パネルにおいて、グリーニッシュ(Ｇｒｅｅｎｉｓｈ)及びクロストーク(Ｃｒｏｓｓｔａｌｋ)を誘発する特定のパターンを示した図面である。
【００３７】
図２を参照すると、２×１ドット反転方式で動作する液晶パネル１５０にブラック階調領域(斜線を引いた領域）とホワイト階調領域(ホワイト領域）とが一つの画素単位に交互に配列されるパターンが表示されている。
【００３８】
具体的に、１番目の画素行でＢ１、Ｇ２、Ｒ３、Ｂ３、Ｇ４の各々に正極性のブラックデータ電圧が供給され、Ｇ１、Ｒ２、Ｂ２、Ｇ３、Ｒ４、Ｂ４の各々に負極性のホワイトデータ電圧が供給される。２番目の画素行でブラックピクセル信号によって変化する共通電圧によってＧ１、Ｒ２、Ｂ２、Ｇ３、Ｒ４、Ｂ４の各々に正極性のブラックデータ電圧が供給され、Ｒ１、Ｂ１、Ｇ２、Ｒ３、Ｂ３、Ｇ４の各々に負極性のホワイトデータ電圧が供給される。３番目の画素行でＲ１、Ｂ１、Ｇ２、Ｒ３、Ｂ３、Ｇ４の各々に負極性のブラックデータ電圧が供給され、Ｇ１、Ｒ２、Ｂ２、Ｇ３、Ｒ４、Ｂ４の各々に正極性のホワイトデータ電圧が供給される。４番目の画素行でＧ１、Ｒ２、Ｂ２、Ｇ３、Ｒ４、Ｂ４の各々に負極性のブラックデータ電圧が供給され、Ｒ１、Ｂ１、Ｇ２、Ｒ３、Ｂ３、Ｇ４各々に正極性のホワイトデータ電圧が供給される。
【００３９】
ここで、１番目の画素行と２番目の画素行を第１領域Ａ１と定義し、３番目の画素行と４番目の画素行を第２領域Ａ２と定義する。この場合、第１領域Ａ１でブラック階調領域は全て正極性を有するので、２番目の画素行と３番目の画素行との間で共通電圧Ｖｃｏｍが上昇する方向に歪曲（ｄｉｓｔｏｒｔｉｏｎ）され、第２領域でブラック階調領域は全て負極性を有するので４番目の画素行と５番目の画素行との間で共通電圧Ｖｃｏｍは下降する方向に歪曲される。
【００４０】
共通電圧Ｖｃｏｍが歪曲されると、歪曲されるほどに各画素の充電値が小さくなる、或いは増加するなどの現象によって、液晶パネル上にクロストーク及びグリーニッシュ現象が発生しうる。
【００４１】
図３は、本発明の一実施形態に係る液晶表示装置の信号波形図であり、図３(ａ）はデータ電圧波形を示し、(ｂ）は共通電圧波形を示し、(ｃ）は第１及び第２ゲート信号波形を示し、(ｄ）は第１垂直クロック信号波形を示し、(ｅ）は第１出力イネイブル信号波形を示し、(ｆ）は第２垂直クロック信号波形を示し、(ｇ）は第２出力イネイブル信号波形を示す。
【００４２】
図３を参照すると、データ駆動回路１２０（図１に示す）は、一つの水平走査区間１Ｈ単位にデータラインＤＬ１〜ＤＬｍ（図１に示す)の各々にデータ電圧を出力する。図３(ａ）は、データラインのうち、一つのデータラインに印加されるデータ電圧を時間によって示した波形図である。図３(ａ）に示したように、データ電圧の極性は、二つの水平走査区間２Ｈ単位で反転される。
【００４３】
また、図３(ａ）において、現在水平走査区間には、データラインに正極性の現在データ電圧が印加され、次の水平走査区間には、現在データ電圧と同一である極性及び電圧レベルを有する次のデータ電圧が印加される場合を示した。
【００４４】
図３(ａ）及び(ｃ）を参照すると、第１ゲート信号Ｇ１は、現在水平走査区間が開始され、所定時間(既設定された基準時間ｔ１）が経過した後にゲート駆動回路１４０から出力される。従って、第１ゲート信号Ｇ１によって選択されたゲートライン(以下、第１ゲートラインＧＬ１と称する（図１に示す）)に接続された画素行がターンオンされて現在データ電圧を受信することができる。
【００４５】
次に、次の水平走査区間が開始され、基準時間ｔ１が経過した後に第２ゲート信号Ｇ２がゲート駆動回路１４０から出力される。従って、第２ゲート信号Ｇ２によって選択されたゲートライン(以下、第２ゲートラインと称する)に接続された画素行がターンオンされて、次のデータ電圧を受信することができる。
【００４６】
図３(ｂ）に示したように、共通電圧Ｖｃｏｍは、新しい水平走査区間の開始時点で歪曲が最も多く発生する。共通電圧Ｖｃｏｍの歪曲は、一つの水平走査区間１Ｈの開始時点から所定時間経過した時間(以下、歪曲区間と称する)に限って大きく発生する。特に、図２に示した特定のパターンが液晶パネル１５０に表示される場合、一つの水平走査区間１Ｈの開始時点で発生する共通電圧Ｖｃｏｍの歪曲量は大きく増加する。
【００４７】
第１ゲート信号Ｇ１は、現在水平走査区間１Ｈの開始時点から基準時間ｔ１ほど経過した時点で発生させるので、共通電圧Ｖｃｏｍの歪曲を実質的に減少する、又は效果的に減少させることができる。
【００４８】
ここで、基準時間ｔ１は、一つの水平走査区間１Ｈの開始時点から共通電圧Ｖｃｏｍの歪曲が最大に発生する時点の間の時間間隔(以下、第１時間ｔ１と称する)より大きい時間に定義されてもよい。本発明の一例として、第１時間ｔ１は、２〜３μs程度になる。従って、基準時間ｔ１は、２μs以上に定義されてもよい。
【００４９】
一方、第１ゲート信号Ｇ１の立ち下がり時点（ｆａｌｌｉｎｇ  ｔｉｍｅ  ｐｏｉｎｔ）と第２ゲート信号Ｇ２の立ち上がり時点（ｒｉｓｉｎｇ  ｔｉｍｅ  ｐｏｉｎｔ）の間の時間間隔を第２時間Ｔ２に定義した場合に、基準時間ｔ１は、第２時間Ｔ２を超過させないようにする。すなわち、基準時間ｔ１が第２時間Ｔ２を超過すると、第１ゲート信号Ｇ１が次の水平走査区間とオーバーラップして一つの画素行に二つのデータ電圧が印加される問題が発生するからである。
【００５０】
従って、基準時間ｔ１は、第２時間Ｔ２を超過しない範囲に設定されることが望ましい。本発明の一例として、第２時間Ｔ２は、約５μs程度となる。従って、基準時間ｔ１は、約２〜５μsの範囲内に定義されることが望ましい。
【００５１】
このように、画素が共通電圧Ｖｃｏｍの歪曲に影響を受けないようにするために、ゲート駆動回路１４０は、共通電圧Ｖｃｏｍの歪曲区間を避け、ゲート信号Ｇ１〜Ｇｎを発生させる。そのために、ゲート駆動回路１４０は、第２垂直クロック信号ＣＰＶ２及び第２出力イネイブル信号ＯＥ２を受信する。
【００５２】
図３(ｄ）乃至(ｇ）に示したように、第２垂直クロック信号ＣＰＶ２において第１ゲート信号Ｇ１の立ち上がり時点を決定する１番目のハイ区間は、第１垂直クロック信号ＣＰＶ１の１番目のハイ区間の開始時点から基準時間ｔ１ほど経過した時点で開始される。第２出力イネイブル信号ＯＥ２において第１ゲート信号Ｇ１の立ち下がり時点を決定する１番目のハイ区間は、第１出力イネイブル信号ＯＥ１の１番目のハイ区間の開始時点から基準時間ｔ１ほど経過した時点で開始される。第２垂直クロック信号ＣＰＶ２の残りのハイ区間及び第２出力イネイブル信号ＯＥ２の残りのハイ区間も基準時間ｔ１ほど遅延させて発生させる。
【００５３】
ゲート駆動回路１４０は、上記のように遅延させた第２垂直クロック信号ＣＰＶ２及び第２出力イネイブル信号ＯＥ２に応答して、第１及び第２ゲート信号Ｇ１、Ｇ２を各々対応する水平走査区間の開始時点から基準時間ｔ１ほど遅延させた後に発生させることができる。従って、共通電圧Ｖｃｏｍの歪曲によって液晶パネル１５０上にクロストーク及びグリーニッシュ現象が発生することを防止することができる。
【００５４】
図４は本発明の他の実施形態に係る液晶表示装置の信号波形図であり、図４(ａ）はデータ電圧波形を示し、(ｂ）は共通電圧波形を示し、（ｃ）は第１及び第２ゲート信号波形を示し、(ｄ）は第１垂直クロック信号波形を示し、(ｅ）は第１出力イネイブル信号波形を示し、(ｆ）は第２垂直クロック信号波形を示し、(ｇ）は第２出力イネイブル信号波形を示す。
【００５５】
図４を参照すると、第１及び第２ゲート信号Ｇ１、Ｇ２は、図３に示した第１及び第２ゲート信号Ｇ１、Ｇ２のパルス幅を示すＷ１より大きいパルス幅Ｗ２を有する。
【００５６】
第１ゲート信号Ｇ１の立ち下がり時点と第２ゲート信号Ｇ２の立ち上がり時点の間の時間間隔を第２時間Ｔ２に定義した場合に、第１及び第２ゲート信号Ｇ１、Ｇ２のパルス幅Ｗ２は、第２時間Ｔ２が約４μs以下に減少しない範囲まで、増加させることが望ましい。
【００５７】
図４(ｄ）乃至(ｇ）に示したように、第２垂直クロック信号ＣＰＶ２において第１ゲート信号Ｇ１の立ち上がり時点を決定する１番目のハイ区間は、第１垂直クロック信号ＣＰＶ１の１番目のハイ区間の開始時点から基準時間ｔ１ほど経過した時点で開始される。従って、第１ゲート信号Ｇ１は、対応する水平走査区間の開始時点から基準時間ｔ１ほど経過した時点で発生しうる。
【００５８】
第２出力イネイブル信号ＯＥ２において第１ゲート信号Ｇ１の立ち下がり時点を決定する１番目のハイ区間は、第１出力イネイブル信号ＯＥ１の１番目のハイ区間の開始時点から基準時間ｔ１より大きい第３時間ｔ２ほど経過した時点で開始される。従って、第１ゲート信号Ｇ１のパルス幅を増加させることができる。このとき、第２出力イネイブル信号ＯＥ２の立ち上がり時点と第２垂直クロック信号ＣＰＶ２の立ち上がり時点との時間間隔は、約４μs以上に維持されることが望ましい。
【００５９】
このように、第１及び第２ゲート信号Ｇ１、Ｇ２のパルス幅Ｗ２を増加させることにより、各画素の充電時間を増加させることができるため、充電不良を改善することができる。
【００６０】
図５は、本発明の他の実施形態に係る液晶表示装置のブロック図である。但し、図５に示す液晶パネル１５０、ゲート駆動回路１４０、及びデータ駆動回路１２０の構成は、図１に示す構成と実質的に同一である。従って、重複説明を避け、説明を簡単にするために、同一である機能を実行するブロックに対しては同一である参照符号を表記した。そして、これに対する詳細な説明は省略する。
【００６１】
図５を参照すると、本発明の他の実施形態に係る液晶表示装置１０５は、タイミングコントローラ１６０と、データ駆動回路１２０と、ゲート駆動回路１４０と、液晶パネル１５０とを含む。
【００６２】
タイミングコントローラ１６０には、図１に示した制御信号変換回路１３０を内蔵させてもよい。そうすると、タイミングコントローラ１６０は、制御信号変換回路１３０を利用して第１ゲート制御信号、例えば、第１垂直開始信号ＳＴＶ１、第１出力イネイブル信号ＯＥ１、及び第１ゲートクロック信号ＣＰＶ１を、第２ゲート制御信号、例えば、第２垂直開始信号ＳＴＶ２、第２出力イネイブル信号ＯＥ２、及び第２ゲートクロック信号ＣＰＶ２に変換した後、第２ゲート制御信号ＳＴＶ２、ＯＥ２、ＣＰＶ２をゲート駆動回路１４０に出力する。
【００６３】
このように、タイミングコントローラ１６０に制御信号変換回路１３０が内蔵されることにより、液晶表示装置１０５の全体的な部品数を減少させることができる。
【００６４】
図６は、図１に示した液晶表示装置の駆動方法を示したフローチャートである。
【００６５】
図６を参照すると、液晶表示装置１００（図１に示す）は、ステップＳ２１０において、複数の映像データと、データ制御信号と、第１ゲート制御信号とを生成する。液晶表示装置１００は、タイミングコントローラ１１０（図１に示す）によって、外部装置から複数の映像データ及び各種外部制御信号を受信し、複数の映像データを液晶表示装置１００に合うフォーマットに変換して出力し、各種制御信号に基づいてデータ制御信号及び第１ゲート制御信号を出力する。
【００６６】
液晶表示装置１００は、データ制御信号に同期して複数の映像データを複数のデータ電圧に変換する（Ｓ２２０）。液晶表示装置１００は、データ駆動回路１２０によって、データ電圧を生成し、生成されたデータ電圧を一水平走査区間単位にライン分量ずつ出力する。
【００６７】
液晶表示装置１００は、既設定された基準信号に基づいて第１ゲート制御信号を既設定された基準時間ｔ１（図３に示す)ほど遅延させて第２ゲート制御信号に変換する（Ｓ２３０）。液晶表示装置１００は、制御信号変換回路１３０によって、第２ゲート制御信号を生成し、生成された第２ゲート制御信号をゲート駆動回路１４０に供給する。
【００６８】
ゲート駆動回路１４０は、第２ゲート制御信号に応答して複数のゲート信号を順次に出力する（Ｓ２４０）。
【００６９】
最後に、液晶パネル１５０は、ゲート信号に順次に応答して一つのライン分量のデータ電圧に対応する映像を順次に表示する（Ｓ２５０）。
【００７０】
本発明の一実施形態として、各ゲート信号は、対応する水平走査区間の開始時点から基準時間ほど遅延させた時点で立ち上がり、対応する水平走査区間の最終時点前に立ち下がる。また、基準時間は、各ゲート信号の立ち下がり時点と、各ゲート信号の次のゲート信号の立ち上がり時点との間の時間間隔より小さいものとする。
【００７１】
このように、各ゲート信号を遅延させて発生させると、各画素は、共通電圧の歪曲に影響を受けないので、クロストーク及びグリーニッシュ現象を除去することができ、充電不良を防止することができる。
【００７２】
以上、本発明に係る実施形態を参照して説明したが、当該技術分野の熟練された当業者であれば、特許請求の範囲に記載された本発明の思想及び領域から逸脱しない範囲内で本発明を多様に修正及び変更させることができることを理解するはずである。
【符号の説明】
【００７３】
１００、１０５      液晶表示装置
１１０、１６０      タイミングコントローラ
１２０      データ駆動回路
１３０      制御信号変換回路
１４０      ゲート駆動回路
１５０      液晶パネル
【図１】
2010072618.tif 000003
【図２】
2010072618.tif 000004
【図３】
2010072618.tif 000005
【図４】
2010072618.tif 000006
【図５】
2010072618.tif 000007
【図６】
2010072618.tif 000008